(57)【特許請求の範囲】
【請求項１】
テレビの視聴開始および視聴終了に際し、各調査対象者に割り当てた押ボタンを操作させることにより前記テレビの個人別の視聴状況を測定する押ボタンＰＭ装置において、
表示素子と、各調査対象者に割り当てた押ボタンのイメージ画を含むＰＭ画面を前記表示素子に表示する表示コントロール部と、前記表示素子の前面に装着されたタッチセンサと、該タッチセンサの出力を判別して操作された押ボタンを検出するキー判別器とで構成されたタッチセンサ付き表示器を、固定ユニットの前面パネル上に備え、且つ、
前記固定ユニット内に、前記テレビの電源がオフの期間は前記表示コントロール部に前記ＰＭ画面を表示させない表示モード切り替え制御部を備えることを特徴とする押ボタンＰＭ装置。
【請求項２】
テレビの視聴開始および視聴終了に際し、各調査対象者に割り当てた押ボタンを操作させることにより前記テレビの個人別の視聴状況を測定する押ボタンＰＭ装置において、
表示素子と、各調査対象者に割り当てた押ボタンのイメージ画を含むＰＭ画面および現在時刻を表示した時計画面の何れか一方を選択的に前記表示素子に表示する表示コントロール部と、前記表示素子の前面に装着されたタッチセンサと、該タッチセンサの出力を判別して操作された押ボタンを検出するキー判別器とで構成されたタッチセンサ付き表示器を、固定ユニットの前面パネル上に備え、且つ、
前記固定ユニット内に、前記テレビの電源がオフの期間は前記表示コントロール部に前記時計画面を表示させる表示モード切り替え制御部を備えることを特徴とする押ボタンＰＭ装置。
【請求項３】
前記表示モード切り替え制御部は、前記テレビの電源がオンの期間中は、前記テレビの電源がオンとなった時点，前記テレビの視聴エリア内での人の動きが焦電センサ６によって検知された時点およびリモコン送信器による押ボタンの遠隔操作時点より、所定時間だけ前記ＰＭ画面を表示し、残りの期間は時計画面を表示するよう制御することを特徴とする請求項２記載の押ボタンＰＭ装置。
【発明の詳細な説明】
【０００１】
【産業上の利用分野】
本発明はテレビの視聴状況を個人別に測定する押ボタンＰＭ（ピープルメータ）装置の改良に関する。
【０００２】
【従来の技術】
テレビの視聴状況を個人別に測定する装置の一種に、例えば特願昭６２−１３０７９１号で提案されているような、テレビの視聴開始および視聴終了に際し、各調査対象者に割り当てた押ボタンを操作させるようにした押ボタンＰＭ装置と呼ばれる装置がある。
【０００３】
図８は従来の押ボタンＰＭ装置の固定ユニットの前面パネルの構造例を示しており、合計８個の物理的な押ボタンが配設され、その各々のボタン面には、自己に割り当てられた押ボタンを容易に認識できるように、各調査対象者の似顔絵が張りつけられている。また、各押ボタンには照明が付いており、オン状態の押ボタンは点灯し、オフ状態の押ボタンは消灯するようになっている。
【０００４】
【発明が解決しようとする課題】
ところで、押ボタンＰＭ装置の固定ユニットは良く見える位置、例えばテレビ上に載置されて使用されるため、調査対象者以外の部外者をテレビの設置された部屋に通した場合、容易に目に触れることになる。このとき、従来の押ボタンＰＭ装置は図８に示した如き極めて特徴的な外観をしているため、特に注意を引きやすく、結果としてテレビ視聴率測定のサンプル世帯であることを察知される危険性が高まる。サンプル世帯の秘密性はテレビ視聴率測定の大前提であるため、部外者に何の装置であるかを推測させないような工夫が必要となる。似顔絵を貼付せず番号をボタン面に記載した押ボタンＰＭ装置も知られているが、多数のボタンが配列されている形状自体が特異なため、問題は解消しない。部外者をテレビの設置された部屋に通す際、固定ユニットを布等で覆うことも考えられるが、調査対象者の負担が大きくなる。
【０００５】
そこで本発明は、部外者をテレビの設置された部屋に通す場合、テレビの電源をオフにするだけで、それと連動して固定ユニットの外観を目立たなくすることができるようにした押ボタンＰＭ装置を提供することにある。
【０００６】
【課題を解決するための手段】
本発明は上記の目的を達成するために、テレビの視聴開始および視聴終了に際し、各調査対象者に割り当てた押ボタンを操作させることにより前記テレビの個人別の視聴状況を測定する押ボタンＰＭ装置において、以下の（Ａ）または（Ｂ）のような構成を採用している。
（Ａ）表示素子と、各調査対象者に割り当てた押ボタンのイメージ画を含むＰＭ画面を前記表示素子に表示する表示コントロール部と、前記表示素子の前面に装着されたタッチセンサと、該タッチセンサの出力を判別して操作された押ボタンを検出するキー判別器とで構成されたタッチセンサ付き表示器を、固定ユニットの前面パネル上に備え、且つ、前記固定ユニット内に、前記テレビの電源がオフの期間は前記表示コントロール部に前記ＰＭ画面を表示させない表示モード切り替え制御部を備える構成。
（Ｂ）表示素子と、各調査対象者に割り当てた押ボタンのイメージ画を含むＰＭ画面および現在時刻を表示した時計画面の何れか一方を選択的に前記表示素子に表示する表示コントロール部と、前記表示素子の前面に装着されたタッチセンサと、該タッチセンサの出力を判別して操作された押ボタンを検出するキー判別器とで構成されたタッチセンサ付き表示器を、固定ユニットの前面パネル上に備え、且つ、前記固定ユニット内に、前記テレビの電源がオフの期間は前記表示コントロール部に前記時計画面を表示させる表示モード切り替え制御部を備える構成。
【０００７】
【作用】
本発明の押ボタンＰＭ装置においては、固定ユニットの前面パネルには従来のような物理的なスイッチでなくタッチセンサ付き表示器が設けられており、テレビの電源がオフの期間中、（Ａ）の構成においてはＰＭ画面を表示させず、また（Ｂ）の構成においてはＰＭ画面に代えて時計画面を表示させる。
【０００８】
【実施例】
次に本発明の実施例について図面を参照して詳細に説明する。
【０００９】
図１を参照すると、本発明の押ボタンＰＭ装置の一実施例は、テレビ４上に載置された固定ユニット１と、この固定ユニット１に有線により接続された人数検知センサ２と、リモコン送信器３とで構成され、固定ユニット１の前面パネルには、タッチセンサ付き表示器５，焦電センサ６，赤外線受信器７およびスピーカ８が配設されている。
【００１０】
タッチセンサ付き表示器５としては、例えばスタンレー電気株式会社製のドットマトリックス液晶表示モジュール（透明タッチスイッチ，ＣＦＬ照明付）ＧＭＦ２５０６４ＡＢＴＷ−ＳＡ等が使用される。勿論、ＬＣＤの照明方法はＣＦＬに限らずＬＥＤやランプでも良く、また反射型のＬＣＤを採用することもでき、更にブラウン管形式のものであっても良い。
【００１１】
このタッチセンサ付き表示器５は、ＰＭ表示モードとそれ以外のモードとの２つの表示モードの何れかをとるように制御される。ＰＭ表示モード以外のモードの典型例は時計表示モードであるが、何も表示しないモードを選択することも可能である。
【００１２】
時計表示モードでは、図２に示すように現在時刻のみが表示される。このため、一見すると固定ユニット１自体が既存のディジタル置き時計のように見えることになる。
【００１３】
他方、ＰＭ表示モードでは、図３に示すような表示となる。図３において、タッチセンサ付き表示器５上の符号Ｂ１〜Ｂ８は各調査対象者に割り当てた電子的な押ボタンであり、各調査対象者の似顔絵あるいは各調査対象者に割り当てられた数字の何れかがボタン面上に表示されている。ここで、似顔絵が表示されている押ボタンＢ１，Ｂ２，Ｂ５はＯＮの状態であることを示し、数字が表示されている押しボタンＢ３，Ｂ４，Ｂ６〜Ｂ８はＯＦＦの状態であることを示している。ＯＮ状態の押ボタンＢ１，Ｂ２，Ｂ５の部分を指でタッチするか、図１のリモコン送信器３で遠隔操作すれば、ＯＦＦ状態となって数字が表示される。他方、ＯＦＦ状態の押ボタンＢ３，Ｂ４，Ｂ６〜Ｂ８の部分を指でタッチするか、リモコン送信器３で遠隔操作すれば、ＯＮ状態となって似顔絵が表示される。なお、図３は調査対象世帯が８人家族のときの例であり、それより人数が少ない調査対象世帯では、表示される押ボタン数もそれに合わせて少なくなる。
【００１４】
また、図３においてタッチセンサ付き表示器５上の符号Ｍは、必要に応じて調査対象者に押ボタン操作を促すための警報メッセージを表示する領域である。警報メッセージには、図示するような「押して下さい」以外に、「消して下さい」がある。
【００１５】
再び図１を参照すると、焦電センサ６は、防犯センサ等として広く知られているセンサで、テレビ４前方の検知エリア内で人の動きを検知する毎に検知パルスを出力する。従って、検知エリア内を人が動くと検知パルスが連続して出力され、人が停止するか或いは検知エリア外に出ると、検知パルスは出力されなくなる。この焦電センサ６は人数検知センサ２の起動用として使用している。
【００１６】
スピーカ８は、調査対象者に押ボタンの操作を促すための警報を音で発するために設けられている。つまり本実施例では、警報はスピーカ８による音とタッチセンサ付き表示器５による警報メッセージとの双方で行われる。なお、警報ランプの点滅等、他の警報手段を使用することもできる。
【００１７】
リモコン送信器３は、調査対象者に割り当てられた押ボタンを遠隔操作するための装置で、各調査対象者毎のボタンを備え、ボタンが押下されたときに、押下されたボタンに対応する個人識別コードを赤外線により送出する機能を備えている。この送信された赤外線による個人識別コードは固定ユニット１の赤外線受信器７で受信され、後述するように各調査対象者対応の押ボタン状態が変更されるようになっている。
【００１８】
人数検知センサ２は、テレビ４の視聴エリア内の人の人数を非接触的に検知するセンサである。この種の人数検知センサ２としては、松下電気産業株式会社製の薄膜赤外線画像センサシステム「ＩＳ−１」等の如く、薄膜を用いた複数個の焦電素子を機械的に水平駆動させることにより所定エリア内の温度分布を計測し、得られた熱画像データを処理して人数，各人の位置等を出力するタイプのセンサが用いられる。なお、この種のセンサでは機械的な動きを伴うため、１回当たりの検知動作には例えば２秒ほどの時間が必要である。
【００１９】
図４は固定ユニット１の内部構成例を示すブロック図である。同図において、タッチセンサ５ａ，キー判別器５ｃ，ＬＣＤ５ｂおよび表示コントロール部５ｄは図１のタッチセンサ付き表示器５を構成している。ＬＣＤ５ｂは例えば６４×２５６個の画素を有しており、各画素のオン，オフを表示コントロール部５ｄで制御することにより任意の図形や文字が描画できるようになっている。タッチセンサ５ａはＬＣＤ５ｂの前面に装着されており、ＬＣＤ５ｂの表示面を例えば４×８個に枡目状に分割し、個々のセルを１つの独立したキーとしている。キー判別器５ｃはタッチセンサ５ａに対する利用者のタッチ位置（タッチされたセル）と予め定められた押ボタン位置とからタッチされた押ボタンを判別し、各押ボタンと１対１に対応する論理“１”のパルスａ１〜ａ８のうち上記判別した押ボタンに対応するパルスを出力する。また、表示コントロール部５ｄは、ＬＣＤ５ｂ上にＰＭ表示モードによる表示および時計表示モードによる表示を行うもので、ＥＥＰＲＯＭ５１，ＰＭ画面作成部５２，ＰＭ画面メモリ５３，時計画面作成部５４，時計画面メモリ５５，セレクタ５６および表示ドライバ５７から構成されている。
【００２０】
また、コード判別器１６は、赤外線受信器７で受信した個人識別コードを判別する部分で、各押ボタンと１対１に対応する論理“１”のパルスｂ１〜ｂ８のうち上記判別した押ボタンに対応するパルスを出力する。この出力されたパルスｂ１〜ｂ８は人数検知センサコントロール部１１に出力される共に、キー判別器５ｃの出力パルスａ１〜ａ８と共に押ボタン状態保持部１７に出力される。
【００２１】
押ボタン状態保持部１７は、調査対象者に割り当てた押ボタンと１対１に対応するフリップフロップＦ１〜Ｆ８およびオアゲート１７１〜１７８を含んでいる。このフリップフロップＦ１〜Ｆ８はオアゲート１７１〜１７８から論理“１”のパルスが入力される毎に反転動作を行う。オアゲート１７１〜１７８には、キー判別器５ｃの出力パルスａ１〜ａ８およびコード判別器１６の出力パルスｂ１〜ｂ８が入力される。また、各フリップフロップＦ１〜Ｆ８の出力は、警報起動手段１２，表示コントロール部５ｄ，視聴状況データ作成部２０に出力されている。
【００２２】
テレビ電源ＯＮ検出器１５は、図１のテレビ４の電源状態を検出する部分で、その検出出力は、焦電センサ６の出力と共に人数検知センサコントロール部１１に入力されている。
【００２３】
人数検知センサコントロール部１１は、テレビ４の電源オン時，リモコン送信器３による押ボタンの遠隔操作時および焦電センサ６による人の動きの検出時に人数検知センサ２による人数検知を行い、その結果を警報起動手段１２に通知する部分である。この人数検知センサコントロール部１１は、オアゲート１１１，１１２，１１３，リトリガータイマ１１４，スタート信号発生器１１５，立ち上がり検出器１１６，制御部１１７，セレクタ１１８，２個のレジスタ１１９，１１Ａおよび比較部１１Ｂで構成されている。
【００２４】
警報起動手段１２は、人数検知センサコントロール部１１から通知された検知人数と押ボタン状態保持部１７の出力から求めた視聴中状態となっている押ボタンの数とを比較し、相違した場合に、警報を起動する手段であり、人数算出部１２１と人数比較部１２２とで構成されている。
【００２５】
表示モード切り替え制御部１４は、表示コントロール部５ｄによるＬＣＤ５ｂの表示をＰＭ表示モード，時計表示モードに切り替えるための信号を発生する部分で、アンドゲート１４１とオアゲート１４２とリトリガータイマ１４３とで構成されている。
【００２６】
スピーカ駆動部１３はスピーカ８から所定の音を出すことにより音で警報を発する手段である。
【００２７】
視聴状況データ作成部２０，メモリ２１およびターミナルコントローラ２２は、個人別の視聴状況データを作成して図示しないセンタに送出する部分であり、視聴状況データ作成部２０はテレビ４のオン，オフ状態，選局中のチャンネル情報の検出を行う公知のテレビセンサ１９，押ボタン状態保持部１７，時計機構１８に接続され、ターミナルコントローラ２２は図示しない電話回線に接続されている。
【００２８】
以下、本実施例の各部の詳細な機能を全体の動作を通じて説明する。
【００２９】
図４のテレビ電源ＯＮ検出器１５は、図１のテレビ４の電源がオンされている期間中、論理“１”となる信号を出力し、テレビ４の電源がオフされると、その出力を論理“０”とする。テレビ電源ＯＮ検出器１５の出力は人数検知センサコントロール部１１の立ち上がり検出器１１６に入力されると共に、表示モード切り替え制御部１４のアンドゲート１４１の一方の入力端子に入力されている。
【００３０】
表示モード切り替え制御部１４のリトリガータイマ１４３は、アンドゲート１４１から論理“１”のパルスが出力される毎に、その時点より予め定められた期間（例えば６０秒）だけ、その出力を論理“１”とする。このリトリガータイマ１４３の出力は表示コントロール部５ｄのセレクタ５６に切り替え制御信号として与えられている。
【００３１】
セレクタ５６は、表示モード切り替え制御部１４からの切り替え制御信号が論理“１”を示す期間中はＰＭ画面メモリ５３側を選択し、それ以外の期間中は時計画面メモリ５５を選択する。
【００３２】
表示コントロール部５ｄの時計画面作成部５４は、時計機構１８から出力される現在時刻に合わせて時計画面メモリ５５の内容を更新することにより、時計画面メモリ５５に現在時刻を示す時刻イメージ（図２に示すような１３：２８の如きイメージ）を作成しており、セレクタ５６が時計画面メモリ５５側に切り替わっている場合、表示ドライバ５７は時計画面メモリ５５の内容をＬＣＤ５ｂに表示することにより、タッチセンサ付き表示器５に現在時刻を表示する。
【００３３】
他方、ＥＥＰＲＯＭ５１には当該調査対象世帯の家族構成人数，各人の似顔絵のパターン等が記憶されており、ＰＭ画面作成部５２はこのＥＥＰＲＯＭ５１中の情報と押ボタン状態保持部１７から出力される各押ボタンの状態とに基づき、ＰＭ画面メモリ５３の内容を更新している。即ち、例えば、当該調査対象世帯の家族構成人数が８人であり、現在、第１，第２，第５番目の調査対象者に対応する押ボタンのみがオン状態である場合、ＰＭ画面メモリ５３に図３に示したような各押ボタンのイメージ画を作成する。また、後述するように警報起動手段１２から警報メッセージの出力要求があった場合、図３に示したような警報メッセージをＰＭ画面メモリ５３に一定時間だけ作成する。セレクタ５６がＰＭ画面メモリ５３側に切り替わっている場合、表示ドライバ５７はＰＭ画面メモリ５３の内容をＬＣＤ５ｂに表示するので、図３に示したようにタッチセンサ付き表示器５に押ボタン等のイメージ画が表示される。なお、各人の似顔絵の差し替えはＥＥＰＲＯＭ５１の内容を書き替えるだけで対処でき、従来のように紙の似顔絵を貼り変える必要はない。
【００３４】
（１）テレビ４の電源オフ期間
図１のテレビ４の電源がオフの場合、テレビ電源ＯＮ検出器１５の出力は論理“０”であるためアンドゲート１４１は閉じており、リトリガータイマ１４３から論理“１”が出力されておらず、セレクタ５６は時計画面メモリ５５側を選択している。従って、タッチセンサ付き表示器５は時計表示モードとなり、図２に示すように現在時刻のみが表示される。これにより、固定ユニット１は恰もディジタル置き時計のように見え、部外者の注意を引くことがなくなる。
【００３５】
（２）テレビ４の電源オン時
テレビ４の電源がオンされると、それがテレビ電源ＯＮ検出器１５で検出されてその出力が論理“０”から論理“１”に変化し、立ち上がり検出器１１６から論理“１”のパルスがオアゲート１１２，１１３を通じてリトリガータイマ１１４に入力されると共に、オアゲート１１２および表示モード切り替え制御部１４のオアゲート１４２を介してアンドゲート１４１の他方の入力端子に入力される。
【００３６】
アンドゲート１４１はテレビ電源ＯＮ検出器１５でテレビ４の電源ＯＮが検出された時点で開くので、オアゲート１４２から出力された論理“１”のパルスはアンドゲート１４１を通過してリトリガータイマ１４３に入力され、リトリガータイマ１４３の出力が一定時間だけ論理“１”となる。この結果、表示コントロール部５ｄのセレクタ５６は一定時間だけＰＭ画面メモリ５３側を選択し、タッチセンサ付き表示器５は図３に示したような押ボタンイメージを表示するＰＭ表示モードとなる。なお、この時点でタッチセンサ付き表示器５にどのような状態の押ボタンのイメージ画が表示されるかは、その時点の押ボタン状態保持部１７の内容により決定される。
【００３７】
他方、人数検知センサコントロール部１１のリトリガータイマ１１４は、オアゲート１１３から論理“１”のパルスが入力されると、予め定められた時間だけその出力を論理“１”とし、その後段のスタート信号発生器１１５はリトリガータイマ１１４の出力が論理“１”から論理“０”に立ち下がったタイミングで人数検知開始信号を出力する。なお、リトリガータイマ１１４が論理“１”のパルスを受けたときに論理“１”を出力し続ける時間は、人数検知センサ２の１回当たりの検知動作をＴ秒とすると、Ｔ秒＋αの時間に設定されている。上記人数検知開始信号は人数検知センサ２に有線を通じて送られると共に制御部１１７に与えられ、人数検知センサ２はこれに応じて１回の人数検知動作を行い、検知した人数および個々の人の位置情報を有線を通じて固定ユニット１に返却する。また、制御部１１７はスタンバイ状態において人数検知開始信号を受けると図５に示す処理を開始する。
【００３８】
先ず制御部１１７は、セレクタ１１８を一方のレジスタ１１９側に切り替え（Ｓ１）、人数検知センサ２から検知出力が送信されてくるのを待つ（Ｓ２）。そして、検知出力を受信したら、その検知出力をセレクタ１１８を介してレジスタ１１９に格納し（Ｓ３）、セレクタ１１８を他方のレジスタ１１Ａ側に切り替えて（Ｓ４）、オアゲート１１３を通じてリトリガータイマ１１４に再起動パルスを出力する（Ｓ５）。これにより、再び一定時間経過後にスタート信号発生器１１５から人数検知開始信号が出力され、人数検知センサ２は再び１回の人数検知動作を行い、その検知結果を返却する。制御部１１７は、人数検知センサ２から検知出力が送信されてくると（Ｓ６でＹＥＳ）、送信されてきた検知出力をセレクタ１１８を介してレジスタ１１Ａに格納し（Ｓ７）、セレクタ１１８を再びレジスタ１１９側に切り替えておいて（Ｓ８）、比較部１１Ｂを起動する（Ｓ９）。比較部１１Ｂは、両レジスタ１１９，１１Ａの内容を比較し、検知人数が同じで且つ各人の位置がほぼ等しい場合には、一致した検知人数を含む比較一致信号を制御部１１７に通知し、それ以外は比較不一致信号を制御部１１７に通知する。制御部１１７は、比較一致信号を比較部１１Ｂから受け取った場合（Ｓ１０でＹＥＳ）、それに含まれる検知人数を警報起動手段１２ヘ出力し、今回の処理を終える。
【００３９】
また、比較部１１Ｂから比較不一致信号を受け取った場合（Ｓ１０でＮＯ）、制御部１１７は再び再起動パルスをオアゲート１１３に出力する（Ｓ５）。そして、人数検知センサ２から検知出力が送られてくるのを待ち（Ｓ７）、送られてきたらそれをセレクタ１１８を介してレジスタ（この場合、既に切り替えているので最初のレジスタ１１９になる）に格納し、再びセレクタ１１８を切り替えておいて（Ｓ８）、比較部１１Ｂを起動して上述した動作を再度行う（Ｓ９〜Ｓ１１）。
【００４０】
このように人数検知センサコントロール部１１は、人数検知センサ２による人数検知を複数回連続して行い、検知結果が予め定められた回数だけ連続して等しくなったときの検知結果に含まれる検知人数を警報起動手段１２に出力するようにしている。なお、上記検知結果の比較は検知人数のみで行うようにしても良く、その場合には人数検知センサ２から出力される位置情報は無視される。
【００４１】
警報起動手段１２の人数算出部１２１は押ボタン保持部１７の出力に基づきオン状態の押ボタン数を常時算出しており、人数検知センサコントロール部１１から検知人数が通知された警報起動手段１２の人数比較部１２２は、図６に示すように、先ず、人数算出部１２１で算出されているオン状態の押ボタン数と人数検知センサコントロール部１１から通知された検知人数とを比較する（Ｓ２１）。そして、一致した場合には、警報を発する必要性無しと判断して処理を終了する。しかし、一致しない場合、表示モード切り替え制御部１４のオアゲート１４２に論理“１”のパルスを出力してＰＭ表示モード期間を延長させた後（Ｓ２２）、表示コントロール部５ｄのＰＭ画面作成部５２に警報メッセージの出力要求を出す（Ｓ２３）。この出力要求では、人数算出部１２１で算出された数が検知人数より多ければ、オンの押ボタン数を減らすよう促す警報メッセージを出力するよう要求し、その逆であればオンの押ボタン数を増やすよう促す警報メッセージを出力するよう要求する。更に人数比較部１２２は、スピーカ駆動部１３に警報音の出力要求を行う（Ｓ２４）。
【００４２】
スピーカ駆動部１３はこれに応じてスピーカ８を一定時間だけ鳴動させ、調査対象者に押ボタンを操作するよう音で注意を促す。
【００４３】
また、ＰＭ画面作成部５２は、オンの押ボタン数を増やすよう促す警報メッセージを出すよう要求された場合、ＰＭ画面メモリ５３の内容を更新して、図３に示したように、警報メッセージ表示領域Ｍに「押して下さい」といった警報メッセージを一定時間だけ表示させる。反対にオンの押ボタン数を減らすよう促す警報メッセージを出すよう要求された場合、ＰＭ画面メッセージ５３の内容を更新して、警報メッセージ表示領域Ｍに「消して下さい」といった警報メッセージを一定時間だけ表示させる。
【００４４】
以上のように、人数検知センサ２の検知人数と押ボタンの状態とが相違する場合に音およびメッセージで警報を発することにより、調査対象者に正しい操作を催促することができ、これにより無意識な入力ミス等を防止することができる。なお、警報を出す際にＰＭ表示モード期間を延長するようにしたのは、延長しないと一定時間経過後に時計表示モードに戻るため、警報メッセージが表示されなくなってしまうことを防止するためであるが、上記一定時間が充分に長い場合にはそのような延長は不要である。
【００４５】
（３）焦電センサ６による人の動きの検出時
テレビ４の視聴エリア内で人の動きがあった場合、焦電センサ６からその動きが継続している期間中、論理“１”のパルスが連続して出力される。このパルスは人数検知センサコントロール部１１のオアゲート１１２，１１３を介してリトリガータイマ１１４に入力されると共に、オアゲート１１２および表示モード切り替え制御部１４のオアゲート１４２を介してアンドゲート１４１の他方の入力端子に入力される。
【００４６】
アンドゲート１４１はテレビ電源ＯＮ時に開いているので、オアゲート１４２から出力された論理“１”のパルスはアンドゲート１４１を通過してリトリガータイマ１４３に入力され、リトリガータイマ１４３の出力が一定時間だけ論理“１”となる。この結果、表示コントロール部５ｄのセレクタ５６は一定時間だけＰＭ画面メモリ５３側を選択し、タッチセンサ付き表示器５は図３に示したような押ボタンイメージを表示するＰＭ表示モードとなる。
【００４７】
他方、人数検知センサコントロール部１１のリトリガータイマ１１４は、オアゲート１１３から論理“１”のパルスが入力されると、予め定められた時間だけその出力を論理“１”とし、論理“１”を出力中に再び論理“１”のパルスが入力された場合（即ち、リトリガーされた場合）、論理“１”の出力期間を延長する。この結果、リトリガータイマ１１４は、焦電センサ６から連続して出力されるパルスが停止した後の一定時間経過後にその出力を論理“０”とする。後段のスタート信号発生器１１５はリトリガータイマ１１４の出力が論理“１”から論理“０”に立ち下がったタイミングで人数検知開始信号を出力するので、結局、人数検知センサ２は、人の動きが検出されなくなったタイミングで人数検知を開始することになる。その後の動作は上記（２）のテレビ４の電源オン時の動作と同じである。
【００４８】
（４）リモコン送信器３による押ボタン遠隔操作時
リモコン送信器３の或るボタンが押下されると、そのボタンに対応する個人識別コードが赤外線により送信され、固定ユニット１の赤外線受信器７で受信される。図４のコード判別器１６は受信された個人識別コードを判別し、論理“１”のパルスｂ１〜ｂ８のうち判別した個人識別コードに対応するパルス、例えばパルスｂ１を出力する。このパルスｂ１は押ボタン状態保持部１７の対応するオアゲート１７１を介して対応するフリップフロップＦ１に入力され、このフリップフロップＦ１を反転させる。即ち、ＯＦＦ状態であればＯＮ状態に、ＯＮ状態であればＯＦＦ状態に反転させる。
【００４９】
他方、上記パルスは人数検知センサコントロール部１１のオアゲート１１１，１１２，１１３を介してリトリガータイマ１１４に入力される共に、オアゲート１１１，１１２および表示モード切り替え制御部１４のオアゲート１４２，アンドゲート１４１を介してリトリガータイマ１４３に入力される。この結果、上記（２），（３）の場合と同様にタッチセンサ付き表示器５が一定時間だけＰＭ表示モードに切り替わると共に、人数検知センサ２による検知が行われ、必要に応じて警報が発せられることになる。従って、リモコン送信器３を操作した者は、固定ユニット１のタッチセンサ付き表示器５の押ボタン状態の変化を観察することにより、遠隔操作の結果を知ることが可能となる。また、ボタン操作を誤って、実際の視聴人数より少ない数の押ボタンをオンにしたり、その逆に実際の視聴人数より多い数の押ボタンをオンにすると、人数検知センサ２による検知人数と相違することが検出されて警報が発せられることになる。
【００５０】
なお、押ボタンの状態の変更はリモコン送信器３による遠隔操作以外に、タッチセンサ付き表示器５の表示面をタッチすることでも可能である。この場合、操作者がタッチセンサ付き表示器５をタッチしようとして動いた場合に、焦電センサ６で人の動きが検出され、一定時間だけＰＭ表示モードに切り替わるため、操作者は表示されている押ボタンの部分をタッチすれば良い。タッチセンサ付き表示器５の押ボタンがタッチされた場合、図４のキー判別器５ｃがタッチされた部位に基づき押下された押ボタンを判別し、論理“１”のパルスａ１〜ａ８のうち該当するパルスを押ボタン状態保持部１７の該当するオアゲートを介して該当するフリップフロップに入力することで、反転動作を行わせる。なお、焦電センサ６で人の動きが検出されると前述したように人数検知センサ２による検知が行われるため、誤操作した場合には警報が発せられる。
【００５１】
（５）個人別視聴状況の収集
視聴状況データ作成部２０は、押ボタン状態保持部１７の出力および時計機構１８の出力に基づいて、視聴測定対象世帯の誰が何時視聴を開始し又は終了したかを監視しており、この監視した結果と、テレビセンサ１９で検出されたチャンネル情報から個人別の視聴状況データを作成し、メモリ２１に記憶する。このメモリ２１に記憶された視聴状況データは公知のようにターミナルコントローラ２２によって電話回線等を通じて図示しないセンタに送られる。
【００５２】
図７は本実施例の動作タイミングチャートである。同図に示すように、テレビ４の電源がオフの期間中はタッチセンサ付き表示器５の表示モードは時計表示モードとなっている。テレビ４の電源がオンされると、表示モードは直ちにＰＭ表示モードに切り替わり、且つ、リトリガータイマ１１４が起動され、人数検知が行われる。図示の例では人数検知センサ２による人数検知が２回行われた例を示す。その後、表示モードは再び時計表示モードとなる。次に、人の動きが焦電センサ６で検出されると、直ちにＰＭ表示モードに切り替わり、且つ、リトリガータイマ１１４が焦電センサ６の出力で繰り返し再起動され、焦電センサ６からパルスが出力されなくなった時点から所定時間経過後に、人数検知センサ２による人数検知が開始される。図示の例では、１回目の人数検知と２回目の人数検知との結果が不一致であったために３回目の人数検知が実施され、これが２回目の結果と同じであったため人数検知を終了している。この後、再び時計表示モードとなる。その後、リモコン送信器３によって押ボタンが遠隔操作されると、表示モードが直ちにＰＭ表示モードとなり、且つ、人数検知が開始される。そして、再びテレビ４の電源がオフされると、表示モードは時計表示モードのままになる。
【００５３】
以上の実施例では、テレビ４の電源オフ時にはタッチセンサ付き表示器５に時計画面を表示させたが、テレビ４の電源オフ期間中は何も表示させないようにするようにしても良い。この場合、図４の表示モード切り替え制御部１４は、テレビ電源ＯＮ検出器１５の出力をそのままセレクタ５６に出力する。また、テレビ４の電源オン期間中は、テレビ４の電源がオンとなった時点，焦電センサ６で人の動きが検知された時点およびリモコン送信器３による押ボタンの遠隔操作時点より、所定時間だけＰＭ画面を表示し、残りの期間は時計画面を表示させたが、テレビ４の電源オン期間中はＰＭ画面を常時表示するようにしても良い。
【００５４】
【発明の効果】
以上説明した本発明の押ボタンＰＭ装置によれば以下のような効果を得ることができる。
【００５５】
テレビの電源をオフにすれば、固定ユニットのタッチセンサ付き表示器には何も表示されなくなるため、部外者がテレビの設置された部屋に入ってきても注意を引く可能性が低くなり、視聴率測定のサンプル世帯であることが察知されにくくなる。
【００５６】
特にテレビの電源オフの期間中に時計画面を表示する構成によれば、固定ユニット自体がディジタル置き時計のように見えるため、より一層部外者の注意を引く危険性が無くなると共に、時計としても利用することが可能となる。
【００５７】
テレビの電源オン期間中はＰＭ画面を常時表示するようにしても良いが、テレビの電源がオンとなった時点，焦電センサで人の動きが検知された時点およびリモコン送信器による押ボタンの遠隔操作時点より、所定時間だけＰＭ画面を表示し、残りの期間は時計画面を表示させる構成によれば、テレビの電源オン時にも、常に確認できるとは限らないという制限はあるが、固定ユニットを時計として機能させることができる。
【図面の簡単な説明】
【図１】本発明の押ボタンＰＭ装置の一実施例の構成図である。
【図２】時計表示モード時の固定ユニットの状態の一例を示す図である。
【図３】ＰＭ表示モード時の固定ユニットの状態の一例を示す図である。
【図４】固定ユニットの内部構成例を示すブロック図である。
【図５】人数検知センサコントロール部の制御部の処理例を示すフローチャートである。
【図６】警報起動手段の人数比較部の処理例を示すフローチャートである。
【図７】本発明の押ボタンＰＭ装置の動作タイミングチャートである。
【図８】従来の押ボタンＰＭ装置の固定ユニットの前面パネルの構造例を示す図である。
【符号の説明】
１…固定ユニット
２…人数検知センサ
３…リモコン送信器
４…テレビ
５…タッチセンサ付き表示器
６…焦電センサ
７…赤外線受信器
８…スピーカ
【図１】
0003611880.tif 000002
【図２】
0003611880.tif 000003
【図３】
0003611880.tif 000004
【図４】
0003611880.tif 000005
【図５】
0003611880.tif 000006
【図６】
0003611880.tif 000007
【図７】
0003611880.tif 000008
【図８】
0003611880.tif 000009